(57)【要約】【課題】  引き出しの側部からの収納物の溢れを防止する際、安定的かつ着脱が容易な保護部を設けた引き出しを提供すること。  【解決手段】  本発明に係る引き出しは、  少なくとも底板と前板と背板と両側の側板よりなる引き出しであって、前記側板の上方に、前記側板と略水平な棧材を、前記前板と前記背板の間に亘るように配置し、前記引き出しには保護部材と保護部材支持部とを備えた保護部が設けられ、前記保護部材支持部は、前記棧材と前記側板とのそれぞれに着脱自在に、且つ前記棧材と前記側板との間に亘るように取り付けられ、前記保護部材は、前記保護部材支持部に着脱自在に、且つ前記棧材と前記側板の間に位置するように取り付けられることを特徴とする引き出し。【選択図】  図１
2009082485.tif 000002
【特許請求の範囲】
【請求項１】
少なくとも底板と前板と背板と両側の側板よりなる引き出しであって、
前記側板の上方に、前記側板と略水平な棧材を、前記前板と前記背板の間に亘るように配置し、
前記引き出しには保護部材と保護部材支持部とを備えた保護部が設けられ、
前記保護部材支持部は、
前記棧材と前記側板とのそれぞれに着脱自在に、
且つ前記棧材と前記側板との間に亘るように取り付けられ、
前記保護部材は、
前記保護部材支持部に着脱自在に、
且つ前記棧材と前記側板の間に位置するように取り付けられることを特徴とする引き出し。
【発明の詳細な説明】
【技術分野】
【０００１】
本発明は、厨房内のフロアキャビネットや洗面化粧台のキャビネットに組み込まれる引き出しに係り、特に収納物の落下を防止する機能を有する引き出しに関する発明である。
【背景技術】
【０００２】
従来、引き出しからの収納物の落下を防止する機能を有するものとして、引き出しの側板の上方にカバーを設けるものは存在する（例えば、特許文献１参照）。
一方、本願出願人は、引き出し本体内の空間を前後に仕切る仕切り板を着脱自在に取り付けることのできる引出しを開示している（特許文献２参照）。
【０００３】
特許文献１では、側板の上端の上方に水平な桟材を架設した引出しにおいて、側板の上端と桟材との間の側面開口を覆うように側部カバーを配置して、側部カバーの下端を側板の上端に載置すると共に側部カバーの上端を桟材の外側に沿わせて、側部カバーの上端を桟材に取付けクリップにて連結している。
【特許文献１】特開２００５−１７７１８７号公報
【特許文献２】実開平５−７６３４１号公報
【発明の開示】
【発明が解決しようとする課題】
【０００４】
ところが、側部カバーの上端は、桟材に取付けるための取付けクリップによって取り付けられているだけであるため、側部カバーのガタツキなどが懸念される。また、側部カバーの取り付けの際には、まず側部カバーを側板に載せて、側部カバーを手で保持したまま、残る片手でクリップをつけるという過程を経る必要があった。また、取り外しの際にも、クリップを外すと側部カバーが倒れてしまうため、手で側部カバーを保持した状態でクリップを外す必要があり、面倒だった。
【０００５】
そこで本発明では、引き出しの側部からの収納物の溢れを防止する際、安定的かつ着脱が容易な保護部を設けるた引き出しを提供することを目的とする。
【課題を解決するための手段】
【０００６】
上記目的を達成するため、本発明に係る引き出しは、
少なくとも底板と前板と背板と両側の側板よりなる引き出しであって、
前記側板の上方に、前記側板と略水平な棧材を、前記前板と前記背板の間に亘るように配置し、
前記引き出しには保護部材と保護部材支持部とを備えた保護部が設けられ、
前記保護部材支持部は、
前記棧材と前記側板とのそれぞれに着脱自在に、
且つ前記棧材と前記側板との間に亘るように取り付けられ、
前記保護部材は、
前記保護部材支持部に着脱自在に、
且つ前記棧材と前記側板の間に位置するように取り付けられることを特徴としている。
【発明の効果】
【０００７】
このような構成とすることで、保護部材支持部が棧材と側板のそれぞれに亘って取り付けられていることから、保護部の安定性は非常に高いものとなる。また、保護部材は保護部材支持部にのみ取り付けられているため、着脱の際には保護部全体を一度に着脱することができるため、簡単に着脱を行うことができる。
【発明を実施するための最良の形態】
【０００８】
本発明を実施するための最良の形態を説明するのに先立って、本発明の作用及び効果について説明する。
【０００９】
本発明に係る引き出しは、少なくとも底板と前板と背板と両側の側板よりなる引き出しであって、前記側板の上方に、前記側板と略水平な棧材を、前記前板と前記背板の間に亘るように配置し、前記引き出しには保護部材と保護部材支持部とを備えた保護部が設けられ、前記保護部材支持部は、前記棧材と前記側板とのそれぞれに着脱自在に、且つ前記棧材と前記側板との間に亘るように取り付けられ、前記保護部材は、前記保護部材支持部に着脱自在に、且つ前記棧材と前記側板の間に位置するように取り付けられる。
【００１０】
このような構成とすることで、保護部材支持部が棧材と側板のそれぞれに亘って取り付けられていることから、保護部の安定性は非常に高いものとなる。また、保護部材は保護部材支持部にのみ取り付けられているため、着脱の際には保護部全体を一度に着脱することができるため、簡単に着脱を行うことができる。
【００１１】
また、保護部材を板状としておけば、奥行き違いの引き出しに保護部を取り付ける際、加工の簡単な板状の保護部材の奥行きを変更するだけで対応できる。
【００１２】
引き続いて、上記本発明を実施するための最良の形態について、添付図面を参照しながら説明する。説明の理解を容易にするため、各図面において同一の構成要素に対しては可能な限り同一の符号を付して、重複する説明は省略する。
【００１３】
本発明の引き出しＡは、例えば厨房のフロアキャビネット１０に設けられたシンクやコンロの下方に装着されるものであり、比較的深さの深い引き出しである。引き出しＡの引き出し本体５は、図１や図２に示すように底板１と前板２と背板３と両側の側板４とで上面を開口せる角箱状に形成されている。前板２は、フロアキャビネット１０の収納空間１１の前面開口を覆うよう構成されている。この前板２の前面側には必要に応じて取っ手１２を設けてある。本実施例において、背板３は前板２よりも高さの低いものであり、側板４は、前板２や背板３と比べて低いものとなっている。引き出しＡは、フロアキャビネット１０の収納空間１１に対して出し入れ自在に取付けられるのであるが、側板４の部分がスライドレールにてスライド自在に支持される構成となっている。
【００１４】
側板４の上端よりも上方には、側板４の上端と略水平となるように、且つ側板４の上方を、前板２から背板３に亘るように棧材６が設けられている。桟材６を配置してある。本実施例において、棧材６はパイプ状の部材となっている。桟材６の長手方向の端部は、それぞれ前板２と背板３に結合してあり、側板４の上端と桟材６との間が側面開口となっている。引き出し本体５内の空間を仕切る仕切り板７は矩形板状に形成されており、片側の上端にフック部１３を設けてある。この仕切り板７は引き出し本体５内の前後方向の適宜位置に配置され、フック部１３を桟材６に引っ掛けることでその位置に取付けられる。
【００１５】
側面開口には、保護部材である側部カバー８と、保護部材支持部であるクリップ９とからなる保護部が設けられており、保護部は側面開口から物品が溢れ落ちることを防ぐよう設けられている。クリップ９の上端は棧材６に、クリップ９の下端は側板４の上端とそれぞれ当接するよう設けられており、引き出しＡの前方と後方にそれぞれ設けられたクリップ９には、側部カバー８が取り付けられている。
【００１６】
図３は側部カバー８の、図４はクリップ９の斜視図である。
【００１７】
側部カバー８は、図３に示すように板状を有しており、本実施例においては、前板２の背板３との間に亘る長さで、且つ側板４の上端から桟材６まで亘るぐらいの高さの矩形板状に形成されている。形成される材料は透明または半透明の合成樹脂等であることが望ましい。
【００１８】
側部カバー８を取付けるためのクリップ９は、本実施例においては側板４の上端から桟材６まで亘る高さで適宜の長さで桟材６の直径と同じぐらい幅の矩形箱状に形成されている。クリップ９の下端には、側板４にクリップ９を載置するための、略U字状の嵌合凹部１４を設けてあり、クリップ９の中部には、側部カバー８の取付け部である貫通した矩形穴１６を設けてあり、クリップ９の上端には棧材６にクリップ９を取り付けるための円弧状嵌合凹部１５を設けてある。クリップ９は合成樹脂等の比較的弾性のある材料にて形成されている。
【００１９】
次に、図５及び図６（ａ）及び図６（ｂ）を用い、引き出しＡへの保護部である側部カバー８及びクリップ９の取り付け方法について説明する。
【００２０】
引き出しＡに側部カバー８を取付けて側板４の上端と桟材６との間の側面開口を覆う場合、まず側板カバー８をクリップ９の中部にある矩形穴１６に通することによって、側部カバー８を保持する。その後、クリップ９に保持された側部カバー８を、引き出しＡの内側に位置させ、側板４の上端にクリップ９を配置して下端にあるU字状の嵌合凹部１４を側板４の上端に嵌合させる（図６（ａ））。その後、クリップ９の上端にある円弧状嵌合凹部１５を桟材６に嵌合して桟材６にクリップ９を介して側部カバー８を取り付ける（図６（ｂ））。
【００２１】
このように引き出しＡに側部カバー８を取付けることにより、側面開口を覆うことができ、側面開口から引き出しＡに収納された収納物が飛び出したりすることがなく、引き出しＡの開閉の妨げになることがない。また、桟材６と側板４の間に亘って設けられたクリップ９によって側部カバー８が安定した状態で保持される。
【００２２】
また、側部カバー８をクリップ９の中部になる矩形穴１６を通し、クリップ９と一体になり、引き出し本体５への取付け、または取外しはワンタッチで作業ができる。これにより、保護部の引き出しＡへの着脱が容易となる。
【００２３】
また、引き出しＢの引き出し本体１４は図７に示すように蹴込み板１７がついており、矩形である側部カバー８に切り欠けが必要となる。側部カバー８は形状が板状なため、成形がしやすいの上、加工も容易である。引き出しの寸法、形状のバリエーションを容易に対応することができる。
【００２４】
また、側部カバー８が透明または半透明の材料にて形成してあると、内部を透視できて収納物を判別しやすい。また、側部カバー８の素材や色を変えることにより意匠のバリエーションを容易に増やすことができる。
【００２５】
また、側部カバー８を取り付けるとき、上記のようにクリップ９にて取り付けるので、側部カバー８を取り付けても仕切り板７のフック部１３を桟材６に引っ掛けて仕切り板７を取り付けることができる。また、クリップ９で取りつける位置を適切に選択することで、仕切り板７で仕切る位置の可動範囲を十分にとることができる。側部カバー８は着脱自在に取付けているため、側部カバー８を取り外して引き出しＡを使用することができるのはもちろんである。
【００２６】
なお、上記の実施例では厨房のフロアキャビネット１０に用いる引出しＡについて
述べたが、洗面化粧台のキャビネットなど、その他のキャビネットでも同様に実施することができる。
【図面の簡単な説明】
【００２７】
【図１】本発明の引き出しを備えたキャビネットを示す斜視図である。
【図２】本発明の引き出しを示す斜視図である。
【図３】本発明の側部カバーを示す斜視図である。
【図４】本発明のクリップを示す斜視図である。
【図５】本発明の引き出しを示す正面図である。
【図６】本発明の引き出しの、保護部の取り付け方法を示す概略図である。
【図７】本発明の引き出しの変形例を示す側面図である。
【符号の説明】
【００２８】
Ａ，Ｂ  引き出し
１  底板
２  前板
３  背板
４  側板
５  引き出し本体
６  棧材
７  仕切り板
８  側部カバー
９  クリップ
１０  フロアキャビネット
１１  収納空間
１２  取っ手
１３  フック部
１４  嵌合凹部
１５  円弧状嵌合凹部
１６  矩形穴
１７  蹴込み板
【図１】
2009082485.tif 000003
【図２】
2009082485.tif 000004
【図３】
2009082485.tif 000005
【図４】
2009082485.tif 000006
【図５】
2009082485.tif 000007
【図６】
2009082485.tif 000008
【図７】
2009082485.tif 000009